(57)【要約】【課題】ケーブル類保護案内装置に取り付けるシューの形状とケーブル類保護案内装置側の取付部の構造を簡略化すると共に、シュー同士が摺動する際の衝突音を抑制し、シューの耐久性を向上させたケーブル類保護案内装置を提供する。【解決手段】屈曲内周側にシューを設け、該シューの先端部及び後端部並びにリンクプレート側面に設けた凹部に係合するフックを有する側壁部を軟らかい樹脂で成形し、リンクプレートの上端面に設けた挿入口に挿入される突起部を有するシューの中央部分を硬い樹脂で２色成形したことを特徴とするケーブル類保護案内装置により上記課題を解決する。【選択図】図１
2007002908.tif 000002
【特許請求の範囲】
【請求項１】
左右に離間配置される一対のリンクプレートと該リンクプレートの屈曲外周側および屈曲内周側にそれぞれ架橋される連結板とで構成されたリンク枠体が、長手方向に屈曲半径を一定以上に規制して多数連結してなるケーブル類保護案内装置において、
前記屈曲内周側にシューを設け、該シューの先端部及び後端部並びに前記リンクプレート側面に設けた凹部に係合するフックを有する側壁部を軟らかい樹脂で成形し、前記リンクプレートの上端面に設けた挿入口に挿入される突起部を有する前記シューの中央部分を硬い樹脂で２色成形したことを特徴とするケーブル類保護案内装置。
【請求項２】
左右に離間配置される一対のリンクプレートと該リンクプレートの屈曲外周側および屈曲内周側にそれぞれ架橋される連結板とで構成されたリンク枠体が、長手方向に屈曲半径を一定以上に規制して多数連結してなるケーブル類保護案内装置において、
前記屈曲内周側にシューを設け、該シューの先端部及び後端部並びに前記リンクプレート側面に設けた凹部に係合するフックを有する側壁部を軟らかい樹脂で成形し、前記リンクプレートの上端面に設けた挿入口に挿入される突起部を有する前記シューの中央部分を金属でインサート成形したことを特徴とするケーブル類保護案内装置。
【発明の詳細な説明】
【技術分野】
【０００１】
本発明は、例えば、産業用機械や、車両などの移動部と静止部とを接続して電気信号の伝達や電力の供給を行う電気ケーブルや油圧や空気圧を供給するホース等の可撓性ケーブル類を安全確実に保護案内するケーブル類保護案内装置に関する。
【背景技術】
【０００２】
従来、この種のケーブル類保護案内装置は、左右に離間配置される一対のリンクプレートと該リンクプレートの屈曲外周側および屈曲内周側にそれぞれ架橋される連結板とで構成されたリンク枠体が、長手方向に屈曲半径を一定以上に規制して多数連結した構成をしている。
【０００３】
そして、ロングスパンで長手方向に折り返して使用する場合、下側に位置するケーブル類保護案内装置の屈曲内周側と折り返されて上側に位置するケーブル類保護案内装置の屈曲内周側が直接接触し、騒音が発生したり摩耗したりすることが懸念されていた。そのため、屈曲内周側にシューを取り付けたケーブル類保護案内装置が知られている（例えば、特許文献１参照）。
【特許文献１】特公平６−２３５８９号公報
【発明の開示】
【発明が解決しようとする課題】
【０００４】
ところが、前述の従来技術では、図６に示すように構造的にシューを取り付けるための特別な形状・構造の工夫が必要であった。また、耐摩耗性を向上させた樹脂材料を使用するとシューが硬くなり、係合部のフックが変形しにくく着脱時にシューが破損することが懸念されていた。また、シューが硬いので摺動時に衝突音が発生することが懸念されていた。
【０００５】
そこで、本発明の目的は、ケーブル類保護案内装置に取り付けるシューの形状とケーブル類保護案内装置側の取付部の構造を簡略化すると共に、シュー同士が摺動する際の衝突音を抑制し、シューの耐久性を向上させて長寿命化を図ったケーブル類保護案内装置を提供することにある。
【課題を解決するための手段】
【０００６】
本請求項１に係る発明は、左右に離間配置される一対のリンクプレートと該リンクプレートの屈曲外周側および屈曲内周側にそれぞれ架橋される連結板とで構成されたリンク枠体が、長手方向に屈曲半径を一定以上に規制して多数連結してなるケーブル類保護案内装置において、前記屈曲内周側にシューを設け、該シューの先端部及び後端部並びに前記リンクプレート側面に設けた凹部に係合するフックを有する側壁部を軟らかい樹脂で成形し、前記リンクプレートの上端面に設けた挿入口に挿入される突起部を有する前記シューの中央部分を硬い樹脂で２色成形したことによって、上記の課題を解決するものである。
【０００７】
なお、前記リンクプレート側面に設けた凹部は、リンクプレートの上端部に設けた挿入口まで貫通する挿通孔であっても構わない。
【０００８】
また、本請求項２に係る発明は、左右に離間配置される一対のリンクプレートと該リンクプレートの屈曲外周側および屈曲内周側にそれぞれ架橋される連結板とで構成されたリンク枠体が、長手方向に屈曲半径を一定以上に規制して多数連結してなるケーブル類保護案内装置において、前記屈曲内周側にシューを設け、該シューの先端部及び後端部並びに前記リンクプレート側面に設けた凹部に係合するフックを有する側壁部を軟らかい樹脂で成形し、前記リンクプレートの上端面に設けた挿入口に挿入される突起部を有するシューの中央部分を金属でインサート成形したことによって、上記の課題を解決するものである。
【発明の効果】
【０００９】
本請求項１に係る発明によれば、左右に離間配置される一対のリンクプレートと該リンクプレートの屈曲外周側および屈曲内周側にそれぞれ架橋される連結板とで構成されたリンク枠体が、長手方向に屈曲半径を一定以上に規制して多数連結してなるケーブル類保護案内装置において、前記屈曲内周側にシューを設け、該シューの先端部及び後端部並びに前記リンクプレート側面に設けた凹部に係合するフックを有する側壁部を軟らかい樹脂で成形し、前記リンクプレートの上端面に設けた挿入口に挿入される突起部を有する前記シューの中央部分を硬い樹脂で２色成形したことによって、シュー同士が摺動する時の衝突音を低く抑えることができ、静粛性が向上する。また、シューのリンクに係合するフックを有する側壁部を軟らかい樹脂で成形したことによって、係合・着脱時のシューの破損が防止される。さらに、シューの中央部分は、フック部の着脱のし易さを考慮することなく硬い樹脂を選定することができ、設計の自由度が増す。
【００１０】
本請求項２に係る発明によれば、左右に離間配置される一対のリンクプレートと該リンクプレートの屈曲外周側および屈曲内周側にそれぞれ架橋される連結板とで構成されたリンク枠体が、長手方向に屈曲半径を一定以上に規制して多数連結してなるケーブル類保護案内装置において、前記屈曲内周側にシューを設け、該シューの先端部及び後端部並びに前記リンクプレート側面に設けた凹部に係合するフックを有する側壁部を軟らかい樹脂で成形し、前記リンクプレートの上端面に設けた挿入口に挿入される突起部を有する前記シューの中央部分を金属でインサート成形したことによって、請求項１が奏する効果に加えて、シューの摩耗を更に防ぐことができる。
【発明を実施するための最良の形態】
【００１１】
本発明の最良の実施の形態について、図面に基づいて説明する。図１は、本発明を構成するリンク枠体の１つを示した斜視図である。このリンク枠体は、左右に離間配置される一対のリンクプレート１１０ａ、１１０ｂと、このリンクプレート１１０の屈曲外周側に架橋される連結板１２０と屈曲内周側に架橋される連結板１３０を有している。また、切り欠き部１１２と凸部１１４は、別のリンク枠体と連結される際に、切り欠き部１１２が別のリンク枠体の凸部と係合し、凸部１１４が別のリンク枠体の切り欠き部と係合することによって、長手方向の屈曲半径を一定以上に規制している。図２は、前記リンク枠体を３個連結した時の状態を示した斜視図である。
【００１２】
前述したリンクプレート１１０、連結板１２０、１３０からなるリンク枠体を構成する材質は、特に限定されるものではないが、優れた強度特性を発揮できるガラス繊維強化ポリアミド系樹脂を用いて成形加工することが好ましい。
【００１３】
次に本発明のケーブル類保護案内装置が最も特徴としているシュー２００について詳述する。シュー２００は、図１及び図２に示したように連結されるリンク枠体の屈曲内周側に取り付けられる。図３は、このシュー２００を取り外した状態で示した斜視図である。このシューは、先端部２３０及び後端部２４０並びにリンクプレート１１０の側面に設けた凹部に嵌合するフック２２０を有する側壁部２１０を有している。そして、これらの部材が、例えば、エラストマー系の軟らかい樹脂で成形されている。一方、リンクプレート１１０の上端面に設けた挿入口に挿入される突起部２６０を有するシュー２００の中央部分２５０がポリアミド、ポリアセタールのような硬い樹脂を用いて成形されている。そして、前記軟らかい樹脂と前記硬い樹脂は、２色成形により一体化されている。
【００１４】
また、前記シュー２００の中央部分２５０は、硬い樹脂を用いる代わりに、ステンレスや炭素鋼などの金属を用いることも可能である。そして、この場合には前記軟らかい樹脂と前記金属は、インサート成形により一体化される。
【００１５】
次に、前記シュー２００のリンク枠体への装着方法について、図４に基づいて説明する。図４は、手前側のリンクプレート１１０ｂと屈曲内周側に架橋された連結板１３０の一部を切断した状態を示した斜視図である。リンクプレート１１０ｂの屈曲内周側の端面には、シュー２００の突起部２６０が挿入される挿入口１４０が設けられている。そして、リンクプレート１１０ｂの側面には、シュー２００の側壁部２１０に設けられたフック２２０が係合する凹部１５０が設けられている。
【００１６】
そして、シュー２００の装着時に軟らかい樹脂でできた側壁部２１０が一旦背後に撓むことによりフック２２０がリンクプレート１１０ｂの側面に設けられた凹部１５０と係合し、側壁部２１０の撓みが解消される。また、リンクプレート１１０ｂの凹部１５０に係合するフック２２０そのものが軟らかい樹脂でできており、十分に変形できるのでシューの着脱が容易であり、ケーブル類保護案内装置の組立が容易で、しかも破損することを防止することができる。
【００１７】
図５は、本発明のケーブル類保護案内装置をロングスパンで長手方向に折り返して使用する場合、下側に位置するケーブル類保護案内装置の屈曲内周側と折り返されて上側に位置するケーブル類保護案内装置の屈曲内周側が直接接触している状態を示す斜視図である。ケーブル類保護案内装置の屈曲内周側には、上述したように各リンク枠体毎にシューが装着されているので、長手方向に折り返して使用する場合、シュー同士が摺動する。この場合、シュー２００の軟らかい樹脂でできた先端部２３０同士がまず摺接するため、中央部分の硬質樹脂部材又は金属部材同士が衝突することが防止され、衝突音の発生を抑制することが可能になる。
【図面の簡単な説明】
【００１８】
【図１】本発明のケーブル類保護案内装置のリンク枠体を示す斜視図。
【図２】本発明のケーブル類保護案内装置の３連のリンク枠体を示す斜視図。
【図３】本発明のケーブル類保護案内装置のシューを示す斜視図。
【図４】シューの装着の様子を図示した一部を切断して描写した斜視図。
【図５】本発明のケーブル類保護案内装置が上下で摺動する様子を示す斜視図。
【図６】従来のケーブル類保護案内装置を示す側面図。
【符号の説明】
【００１９】
１１０ａ、１１０ｂ    ・・・  リンクプレート
１１２    ・・・  切り欠き部
１１４    ・・・  凸部
１２０、１３０    ・・・  連結板
１４０    ・・・  挿入口
１５０    ・・・  凹部
２００    ・・・  シュー
２１０    ・・・  （シューの）側壁部
２２０    ・・・  （シューの）フック
２３０    ・・・  （シューの）先端部
２４０    ・・・  （シューの）後端部
２５０    ・・・  （シューの）中央部分
２６０    ・・・  （シューの）突起部
【図１】
2007002908.tif 000003
【図２】
2007002908.tif 000004
【図３】
2007002908.tif 000005
【図４】
2007002908.tif 000006
【図５】
2007002908.tif 000007
【図６】
2007002908.tif 000008